(57)【特許請求の範囲】
【請求項１】
磁気記録媒体に磁気記録ヘッドを用いて磁化情報を記録する際、記録パターンに応じて磁化情報の書き込みタイミングを補正する記録等化器において、
前の遷移から少なくとも３ビット以上、後の遷移から少なくとも２ビット以上離れて記録するダイビットの第１の遷移の記録補正量をＡ、第２の遷移の記録補正量をＢとし、前の遷移から少なくとも３ビット以上、後の遷移から少なくとも２ビット以上離れて記録する孤立ビットの記録補正量をＣとするとき、値（Ａ−Ｃ）を値（Ｂ−Ｃ）のマイナス５％からマイナス６０％の間にすることを特徴とする記録等化器。
【請求項２】
前記孤立ビットの記録補正量Ｃは、前記ダイビットの第１の遷移の記録補正量Ａが正の値となるように選ばれていることを特徴とする請求項１に記載の記録等化器。
【請求項３】
前記記録補正量を、前記磁気記録媒体上に記録する１ビットの長さに基づいて求めることを特徴とする請求項１又は２に記載の記録等化器。
【請求項４】
記録情報を貯えるデータバッファを備え、前記データバッファに新たに情報を貯えるタイミングと記録電流を反転させるタイミングの基準を同じクロックに同期させることを特徴とする請求項１〜３のいずれか１項記載の記録等化器。
【請求項５】
請求項１〜４のいずれか１項記載の記録等化器と、前記記録等化器からの出力によって磁気記録媒体に磁化情報を記録する書き込みヘッドと、前記磁気記録媒体に記録された磁化情報を読み取る読み取りヘッドと、前記読み取りヘッドからの出力信号を復号する復号手段とを含むことを特徴とする磁気記録再生装置。
【発明の詳細な説明】
【０００１】
【発明の属する技術分野】
本発明は、コンピュータの補助記録装置等に用いられる磁気記録再生装置に係り、さらに詳しくは、磁気情報を記録する際に生じる隣接符号間の干渉を補正する記録等化器とその等化器を用いた磁気記録再生装置技術に関する。
【０００２】
【従来の技術】
情報化社会の進行と共に、コンピュータの外部記憶装置として用いられる磁気ディスク装置に対する高密度、高記憶容量化の要求が強くなっている。磁気ディスク装置の記録密度は、現在年率４０〜６０％の割合で高密度化されてきている。このような急速な高密度化は、低ノイズ媒体の開発のみならず、ＭＲヘッドやＰＲＭＬ（Partial Response Maximum Likelihood）方式等の新技術の採用によって支えられている。
【０００３】
ＰＲＭＬ方式では、従来の１−７／ＰＤ（Peak Detection）方式に比べ、同じ線記録密度（ＢＰＩ）の場合、１．５倍の磁化反転密度（ＦＣＩ）で媒体上に記録されることになる。そのため、従来にない、高い磁化反転密度かつ高周波領域で起こるさまざまな現象に対する対策が必要となる。その１つとして非線形トランジションシフト（Non-Linear Transition Shift；以下、ＮＬＴＳと記す）に代表される記録時の非線形現象が挙げられる。特にＰＲＭＬ方式においては、その性能を十分発揮するには記録再生チャンネルの線形性が要求される。
【０００４】
ＰＲＭＬチャンネルでは、再生波形をサンプリングした振幅値を用いて判定するため、正しいタイミングでのサンプリングと、正しい波形位置への等化が必須である。このために、磁気ヘッドで媒体上に書き込む磁化反転位置を正確に制御することが要求される。しかし、媒体内の反磁界があるとヘッド磁界が変調を受け、書き込まれる磁化反転位置にずれが生じる。この磁化反転位置が、記録電流の反転のタイミングから期待される反転位置からシフトする現象がＮＬＴＳである。
【０００５】
ＮＬＴＳの影響は、１ビット前からのものが最も大きく、書き込もうとする磁化反転位置（ヘッド磁界の反転タイミングから期待される磁化反転位置）を、記録媒体から見た記録ヘッドの走行方向と逆方向にシフトさせる。このような記録位置のシフトを補正するために従来より、記録パターンに応じてヘッド磁界の反転タイミングをずらし、媒体上の正規の位置に磁化反転位置制御する方法（記録補正）がとられている。
【０００６】
ＮＬＴＳを記録補正する場合には、通常１ビット前、あるいは、さらに１ビット前までの磁化遷移からの磁界を考慮し、反転タイミングを基本クロックのタイミングから上記シフトに相当する時間だけ遅らせる（IEEE Trans. Magn. Vol.26, No.5, p.2298）。
【０００７】
【発明が解決しようとする課題】
上記した反転タイミングを遅らせてＮＬＴＳを記録補正する方法は、１平方インチあたり１．５ギガビット以上の記録密度を実現する磁気記録装置に用いると、磁化反転位置が乱れて誤動作を起こす。
本発明の目的は、記録補正の精度を高めることにより、磁化反転位置の乱れを低減し、高密度記録に好適な記録等化器を提供すること、及びその記録等化器を用いて１平方インチあたり２ギガビット以上の記録密度を実現する磁気記録装置を提供することにある。
【０００８】
【課題を解決するための手段】
本発明においては、孤立したダイビットの先行ビットのＮＬＴＳを記録補正することによって前記目的を達成する。
孤立したダイビットの先行ビットのＮＬＴＳを記録補正する手段として、まず前記従来の反転タイミングを遅らせる記録補正の方式を発展させて、１ビット後の記録パターンによって反転タイミングを調整して早める方法を検討した。この方式では、反転タイミングを書き込み基本クロックタイミングより早める必要があるため、記録等化器及び書き込み電流ドライバが複雑となりコストが上がるという問題もあるが、１平方インチあたり２ギガビットでも磁化反転位置を制御することが可能である。ただし、補正量が０の近くで動作が安定しない場合がまれに発生するという問題があった。このため、記録等化方式についてさらに検討を重ねた結果、予め全てのビットに、正値一定のオフセット記録補正量を付与しておき、孤立したダイビットの先行ビットのような負値のＮＬＴＳを、正になるようにオフセットすることが有効であることを見出した。オフセットを設定することにより、従来の書き込み電流ドライバを変える必要がなくなる。
【０００９】
本発明は、このような検討のもとになされたもので、磁気記録媒体に磁気記録ヘッドを用いて磁化情報を記録する際、記録パターンに応じて磁化情報の書き込みタイミングを補正する記録等化器において、前の遷移から少なくとも３ビット以上、後の遷移から少なくとも２ビット以上離れて記録する孤立ビットを記録補正することを一つの特徴とする。
【００１０】
また、本発明による記録等化器は、前の遷移から少なくとも３ビット以上、後の遷移から少なくとも２ビット以上離れて記録するダイビットの第１の遷移の記録補正量をＡ、第２の遷移の記録補正量をＢとし、前の遷移から少なくとも３ビット以上、後の遷移から少なくとも２ビット以上離れて記録する孤立ビットの記録補正量をＣとするとき、値（Ａ−Ｃ）を値（Ｂ−Ｃ）のマイナス５％からマイナス６０％の間にすることを特徴とする。孤立ビットの記録補正量Ｃは、ダイビットの第１の遷移の記録補正量Ａが正の値となるように選択するのが好ましい。
【００１１】
各記録補正量は、磁気記録媒体上に記録する１ビットの長さに基づいて求められる。また、記録等化器に備えられるデータバッファに新たに情報を貯えるタイミングと記録電流を反転させるタイミングの基準を同じクロックに同期させることが好ましい。
本発明の記録等化器は、記録対象ビットの２ビット前にある遷移からの影響と、１ビット前にある遷移からの影響と、１ビット後にある遷移からの影響とを考慮して線形的に加算し、好ましくは、さらにオフセットを加算し、その合計を前記記録対象ビットの記録補正量とする。
【００１２】
本発明の記録等化器を、記録等化器からの出力によって磁気記録媒体に磁化情報を記録する書き込みヘッド、磁気記録媒体に記録された磁化情報を読み取る読み取りヘッド、読み取りヘッドからの出力信号を復号する復号手段等を備える磁気記録再生装置に組み込むことで、１平方インチあたり２ギガビット以上の記録密度を実現する、信頼性の高い磁気記録装置を得ることができる。
【００１３】
【発明の実施の形態】
以下、図面を参照して本発明の実施の形態について説明する。
図１を用いて本発明の原理を説明する。図１は、本発明による記録等化器の基本構成を示すものであり、記録等化器１はデータバッファ２、オフセットレジスタ４、シフト量算出回路５、書き込み電流ドライバ回路６から少なくとも構成される。
【００１４】
書き込みデータ…，Ａ(ｎ−１)，Ａ(ｎ)，Ａ(ｎ＋１)，…は、データバッファ２に入力されてくる。いま仮に、書き込みの対象ビットがＡ(ｎ)であると仮定すると、データバッファ２には、少なくともＡ(ｎ)の他に、前ビットＡ(ｎ−２)、Ａ(ｎ−１)と後ビットＡ(ｎ＋１)の情報が格納される。データバッファ２は、後段に位置するシフト量算出回路５及び書き込み電流ドライバ６にこれら情報を随時伝達する機能を有する。
【００１５】
シフト量算出回路５では、データバッファ２からの出力結果を元に書き込みを行う対象ビットＡ(ｎ)を書き込むタイミングを計算し、オフセットレジスタ４の値Ｃを加えて、書き込み基本クロックからのシフト量ｄを決定する。この計算には、記録媒体と磁気ヘッドとの相対速度と最密記録密度によって決定される基本周波数（書き込み周波数：書き込み用ＰＬＬ回路周波数）を加味させる。ここで、オフセットレジスタ４の値Ｃを加える点が本発明の特徴の１つでもある。このシフト量の算出原理については後述する。また、データバッファ２とシフト量算出回路５の間にビット判定回路を入れ、シフト量算出回路５内では予め計算したテーブルを参照するようにしても良い。
【００１６】
シフト量ｄを算出した後、算出結果を書き込み電流ドライバ６に送る。電流ドライバ６は、Ａ(ｎ)情報に対応させて電流極性を反転させる機能を有する。本発明では、この電流極性反転タイミングを上記のシフト量ｄだけ遅らせる。特に、タイミングを早めなくてもよいようにオフセットＣを加える点に本発明の特徴がある。
【００１７】
前の遷移から少なくとも３ビット以上、後の遷移から少なくとも２ビット以上離れて記録する孤立ビットは、“―００１０―”といった記録情報の“１”部分であり、従来技術では、普通記録補正を行わない。本発明においては、記録補正量としてＣのオフセットを加える。
前の遷移から少なくとも３ビット以上、後の遷移から少なくとも２ビット以上離れて記録するダイビットは、“―００１１０―”といった記録情報の“１１”部分である。このうち最初の“１”部分を第１の遷移、次の“１”部分を第２の遷移と呼び、それぞれの記録補正量をＡ、Ｂと呼ぶ事にする。
【００１８】
図２は、膜厚３０ｎｍ、保磁力２４００エルステッドの磁気記録媒体に、ギャップ間隔２００ｎｍのインダクティブヘッドを用いて記録電流４０ｍＡで幾つかのダイビットを記録したときの、第１の遷移のシフトＳ１と第２の遷移のシフトＳ２の測定結果を示したものである。図では、横軸にダイビットのビット長（ｎｍ）をとり、縦軸には書き込もうとする（ヘッド磁界の反転タイミングから期待される）磁化反転位置からのそれぞれの遷移位置のずれを示してある。縦軸は、記録媒体から見た記録ヘッドの走行方向を正としている。
【００１９】
図２より、第１の遷移のシフトＳ１及び第２の遷移のシフトＳ２の大きさは、ビット長Ｌが小さくなるほど大きくなっていることが分かる。例えば、第２の遷移のシフトＳ２は、ビット長１５０ｎｍで９ｎｍ、ビット長１００ｎｍで２０ｎｍ、記録ヘッドの走行方向と逆方向にシフトしている。また、第１の遷移のシフトＳ１は、それぞれのビット長で、大きさが第２の遷移のシフトＳ２の３２％で反対向き（記録ヘッドの走行方向）にシフトしている。これらの関係は、例えば、ビット長Ｌ及び遷移のシフト（Ｓ１，Ｓ２）をｎｍ単位で表して、次の〔数１〕〔数２〕のように近似でき、記録補正量の決定に用いられる。
【００２０】
【数１】
Ｓ２＝−２０００００／Ｌ2≡ｆ(Ｌ)
【００２１】
【数２】
Ｓ１＝−Ｒ×Ｓ２  （ただし、Ｒ＝０．３２）
近似式は、必ずしも〔数１〕や〔数２〕のような形をしている必要はなく、ビット長に対する遷移のシフトを近似できるものであればどのようなものであってもよい。予め必要なビット長に対する遷移のシフトをテーブルとして記憶しておいてもよい。通常は、ビット長Ｌに対する第２の遷移のシフトＳ２を数点測定して簡単な近似式をたて、さらに１点以上の第１の遷移のシフトＳ１を調べて上記比率Ｒを算定して用いる。
【００２２】
表１に、種々の媒体とヘッドの組み合わせについて測定した第１の遷移のシフトＳ１と第２の遷移のシフトＳ２との比率Ｒ（Ｒ＝−Ｓ１／Ｓ２）を示す。表１において、高記録密度とは、２５０ｋＦＣＩでの記録を指し、優はＳ／Ｎ比３０ｄＢ以上、良はＳ／Ｎ比２６〜３０ｄＢ、可はＳ／Ｎ比２２〜２６ｄＢ、不可はＳ／Ｎ比２２ｄＢ未満を意味する。
【００２３】
【表１】
0003677141.tif 000002
【００２４】
表１より、値Ｒは０．６より小さい場合に高密度で記録できることが分かる。ここでの検討では、媒体としてＣｏ−Ｐｔ系合金を、書き込みヘッド材料としてＮｉ−Ｆｅ系合金を用いたが、媒体の保磁力をさらに高め、ヘッド材料の飽和磁束密度を高めてヘッドギャップ間隔をつめれば、値Ｒを０．０５程度まで下げることができる。
【００２５】
記録補正は、図２のシフト量を見越して正しい位置に書き込めるように行われる。すなわち、マイナスのシフト（Ｓ２）の場合、書き込み基本クロックに対して記録タイミングを遅らせる（プラスの記録補正量）ようにする。プラスのシフト（Ｓ１）の場合は、逆に記録タイミングを早める（マイナスの記録補正量）ようにする必要がある。ところが、記録タイミングを早めるには、等化器及び書き込み電流ドライバの構成が複雑になるので、誤差が生じやすく、コストも高くなってしまうという問題がある。
【００２６】
そこで、基本クロックから、必ずオフセットＣだけ経過した後を基準として、第１の遷移や第２の遷移に対する記録補正を行うようにした。この場合の記録補正量（Ａ，Ｂ）は、目的ビット長Ｌに対するシフト量を、ヘッド−媒体間の相対速度ｖで除して時間を求めて符号を変え、これにオフセットＣを加えることによって求められる。適当なオフセットＣを選定すると、プラスのシフトＳ１の場合でも、記録タイミングを早める必要がなくなる（Ａ＝−Ｓ１／ｖ＋Ｃ＞０）。予め必要なビット長に対する記録補正量をテーブルとして記憶しておいてもよい。１ビットの長さＬは、書き込み基本クロック周波数をｆ［Ｈｚ］、ヘッド−媒体間相対速度をｖ［ｍ／ｓ］とすれば、次の〔数３〕で表される。
【００２７】
【数３】
Ｌ＝ｖ／ｆ  ［ｍ］
ディスクの回転数を毎分Ｓ回転、ヘッド位置のディスク回転軸からの距離をｒ［ｍ］とすれば、１ビットの長さＬは次の〔数４〕から求めることができる。ヘッド位置は、ヘッドを駆動するアクチュエータの制御信号を用いるか、予め媒体のセクタ先頭に書き込んでおいてもよい。
【００２８】
【数４】
Ｌ＝２π・ｒ・Ｓ／６０ｆ  ［ｍ］
本発明は、記録媒体上に記録される磁化領域（磁化遷移と磁化遷移の間隔）を１ビットの長さの整数倍になるように制御するものであるから、ディスクの回転は時間的に安定している必要がある。また、記録等化器においては、データバッファに新たに情報を貯えるタイミング及び記録電流を反転させるタイミングの基準等の動作を同じ書き込み基本クロックに同期させることにより、上記制御を高精度に行うことができる。
【００２９】
図３は、本発明による磁気記録装置の信号処理回路の一例を示すブロック図である。記録情報（データ）は、まず、変調器７に入る。変調器７は、所定の数以上“０”情報が存在しないよう、予め決めた一定の法則で元データを加工する。変調器７の出力は、プリコーダ８に送られる。プリコーダ８では、隣接信号間で干渉の強い符号にデータを加工する。たとえば、“００１００”といった情報を“００１１００”となるように等化する。プリコーダ８からの出力信号をここではＡ(ｎ)と呼ぶ。Ａ(ｎ)信号は、図１に示した記録等化器１に送られる。記録等化器１での処理は、前述の通りである。
【００３０】
記録等化器１からの出力をＡ(ｎ＋ｄ)と定義する。ここでｄは、書き込み基本クロックと実際の書き込み動作を実行するタイミングとの差（シフト量）を表す。シフト量ｄは、前述のようにして記録等化器１で算出され、かつ制御される。記録等化器１の最後段に設けた書き込み電流ドライバ回路（図１参照）からの出力は、書き込みヘッド１５に送られる。ここで電磁変換作用により、記録媒体１７に磁気情報として記録される。
【００３１】
読み出し時には、読み取りヘッド１６にて磁気情報は、再度、電磁変換作用を用いて電気信号に変換される。読み取りヘッド１６は書き込みヘッド１５と兼用しても良い。読み取りヘッド１６と書き込みヘッド１５を分離する場合には、読み取りヘッド１６として、磁気抵抗効果（ＭＲ）素子や、巨大磁気抵抗効果（ＧＭＲ）素子を用いると、感度が高く、高密度記録に適している。読み取りヘッド１６からの電気信号は微弱であるため、まずプリアンプ回路１０に入る。その後、ＰＲ等化回路１１とＭＬ復号回路１２に入る。
【００３２】
ＰＲ等化回路１１では、プリコーダ８での処理と逆の変換を行う。例えば、情報の“００１１００”を“００１００”に逆変換を行う。この際には、再生波形と符号間干渉を予め取り入れた学習波形との比較処理を行うことで、“１”、“０”情報に変換していく。ＭＬ復号回路１２では、再生された情報に対して、前後の数ビット情報を元に変調器出力に予め持たせたルールにのっとり復号化を行う。
【００３３】
これらＰＲ等化回路１１とＭＬ復号回路１２では、一定のタイミングで動作を行う必要がある。これが狂うと誤った情報を復号してしまうことは容易に理解される。このため、ＰＲ等化回路１１及びＭＬ復号回路１２は、共通ＶＣＯ（電圧制御発振器）１３の出力を用いて動作するタイミングを得ている。最後に、復調回路１４に順次情報を入力し、最初の記録情報の形（“０”の連続を含む形）に逆変換する。
【００３４】
図３に示した信号処理回路における信号処理の流れは、従来のＰＲＭＬ信号処理装置の場合と同様であり、記録等化器１の部分のみの変更で、高密度記録が可能となるため、コストが押さえられる。
図４は、補正前の書き込み電流パルス波形と、補正後の書き込み電流パルス波形、及び書き込みクロックと記録補正量の関係を示した説明図である。図４（ａ）は、情報Ａ(−２)からＡ(５)までを書き込むための電流パルスの波形を示す。図４（ｂ），（ｃ）は、オフセットを設定しない補正方法の説明図であり、図４（ｄ），（ｅ）はオフセットＣを設定する補正方法の説明図である。
【００３５】
ここでは情報として、図４（ａ）に示すように、“００１００１１００”をビット長１００ｎｍで媒体に記録する場合を例にとって説明する。この情報では、Ａ(０)が孤立した遷移、Ａ(３)，Ａ(４)が孤立したダイビットの条件を満たしている。このままの反転タイミングで記録すると、遷移位置は、図２より、Ａ(３)が約８ｎｍ位相が遅れる方向に、Ａ(４)が約２０ｎｍ位相が進む方向にシフトする。これを補正するには、Ａ(３)が８ｎｍ分位相が進むように、Ａ(４)が２０ｎｍ分位相が遅れるように書き込み電流の反転タイミングを調整する必要がある。
【００３６】
図４（ｂ）は、Ａ(３)を８ｎｍ分位相が進むように、Ａ(４)を２０ｎｍ分位相が遅れるように反転タイミングを調整した書き込み電流パターンの一例である。すなわち、図４（ｃ）に示されているように、孤立したダイビットの第１の遷移Ａ(３)を書き込みクロックＴからｄ３だけ進ませ、第２の遷移Ａ(４)を書き込みクロックＴからｄ４だけ遅らせている。孤立した遷移Ａ(０)に対しては記録補正を行わない（ｄ０＝０）。しかし、この補正を行うためには、Ａ(３)において反転タイミングを進ませるための回路、すなわち図４（ｃ）でマイナスの記録補正ｄ３を可能とする回路と書き込み電流ドライバとが必要であり、コストがかかる。
【００３７】
図４（ｄ）に示すオフセットＣを設定する場合、書き込み電流の波形は、図４（ｂ）に示した補正後の波形と全体の位相シフト（オフセットＣ）を除けば全く同じである。予め適当なオフセットＣを設定し、全てのビットに対してオフセットＣを施せば、図４（ｅ）に示すように、各記録補正量ｄ０′，ｄ３′，ｄ４′がマイナスになることはない。したがって、マイナスの記録補正を行う回路は必要がない。
【００３８】
なお、IEEE Trans. Magn. Vol.26, No.5, p.2298に記載された記録補正方式では、Ａ(３)が正しい位置に書き込めないので、１平方インチあたり１．５ギガビット以上の記録密度を実現する磁気記録装置を構成するのが困難である。
次に、図４（ｅ）に示したｄ３′及びｄ４′等のシフト量ｄの算出原理を述べる。この算出には、図２又は、図２より得られた近似式〔数１〕〔数２〕を用いた。Ａ(ｎ)のシフト量ｄｎ′は、周速ｖを用いて、次の〔数５〕より算出した。
【００３９】
【数５】
0003677141.tif 000003
前記〔数５〕の第１項は２ビット前Ａ(ｎ−２)に遷移がある場合の影響を考慮したもので、第２項は１ビット前Ａ(ｎ−１)に遷移がある場合の影響を考慮したものである。従来の記録補正では、通常この第２項のみでの補正を行っている。〔数５〕の第３項は１ビット後Ａ(ｎ＋１)に遷移がある場合の影響を考慮したもので、本発明の特徴の一つである。図２より求めた〔数２〕のＲは０．３２である。〔数５〕の第４項のオフセットＣは、孤立したダイビットの先行ビットの補正量が負の値とならないように設定する。
【００４０】
この例では、Ａ(ｎ)のシフト量の算出に、２ビット前までの情報Ａ(ｎ−２)を用いたが、高速化を図るには、１ビット前までの情報Ａ(ｎ−１)を用い、より高密度化を計るには、さらに１ビット前までの情報を用いる必要がある。おおよそ１５０ｋＦＣＩ程度までの記録密度までは、１ビット前まで、３００ｋＦＣＩを越える場合には、３ビット前までの情報を用いる必要がある。
【００４１】
孤立したダイビットの第２ビットの補正量が次の書き込み基本クロックを越える場合には、IEEE Trans. Magn. Vol.26, No.5, p.2298に記載された記録補正方式の書き込み電流ドライバでは等化できない。この場合には、負の補正量を扱える書き込み電流ドライバが必要である。但しこの場合にも、本発明によるオフセットＣを加えることにより、補正量の範囲をより少ない書き込み基本クロック内に納めることができるため、補正電流の精度を上げ、回路構成を簡単にすることができる。
【００４２】
また、ダイビットの第１ビットの補正を行わなくても良いような低い記録密度で本発明による記録等化器を用いる場合でも、記録タイミングをオフセットＣだけずらすことにより、動作を安定化させることができる。
本発明による記録等化器を、図３に示した信号処理回路を有する磁気ディスク装置に適用した結果、１平方インチあたり２ギガビットを超える高記録密度を実現することができた。この記録等化器では、ビットシフト量が過去及び未来の情報を除けば書き込み周波数のみで決定されるため、ビットシフト量をいかなる周速条件でも単純なシーケンスから細かく算出できる。従って、従来のように内周条件及び外周条件ごとに算出値を組み替える必要がない。これによって装置の省部品化、低価格化、高速化を実現することができた。また、本発明の記録等化器と、再生感度の高いＭＲ型又はＧＭＲ型の磁気ヘッドと組み合わせることにより、１平方インチあたり２．５ギガビット以上の高い記録密度でも記録再生が可能である。
【００４３】
【発明の効果】
本発明によれば、信頼性の高い、１平方インチあたり２ギガビット以上の記録密度を実現する磁気記録装置を得ることができる。また、本発明の記録等化器を用いることにより、ビットシフト量をいかなる周速条件でも単純なシーケンスから細かく補正することができる。また、従来の記録等化器に比べ、少部品化、低価格化、高速化を実現できる。
【図面の簡単な説明】
【図１】本発明の主要部分を構成する記録等化器の基本構成図。
【図２】書き込まれるビット長と遷移位置のシフトの関係を示す図。
【図３】本発明を用いた磁気記録装置の信号処理回路の構成図。
【図４】本発明の書き込み電流パルス波形と従来波形の比較説明図。
【符号の説明】
１…記録等化器、２…データバッファ、４…オフセットレジスタ、５…シフト量算出回路、６…書き込み電流ドライバ、７…変調回路、８…プリコーダ、９…磁気ヘッド、１０…プリアンプ、１１…等化器、１２…ＭＬ復号器、１３…ＶＣＯ（電圧／周波数変換器）、１４…復調器、１５…書き込みヘッド、１６…読み取りヘッド、１７…磁気記録媒体
【図１】
0003677141.tif 000004
【図２】
0003677141.tif 000005
【図３】
0003677141.tif 000006
【図４】
0003677141.tif 000007